(57)【要約】【課題】容器口部に取り付けられる注出器の注出部分及び注出を行うに際して操作する部分が、流通段階で全く手に触れられない状態を保ちつつ、併せて当該注出器の不正開封を防止すると共に、その煩雑な組み付け作業を容易にする。【解決手段】本発明は、容器口部に取り付けられて内容物を注出するヒンジキャップ100と、このキャップ100のヒンジカバー130を覆う保護カバーとからなり、この保護カバーは、キャップ100の基部114にヒンジ121を介して一体に繋がり、その閉じ動作により当該基部114に係合固定される係合部122と、この係合部122に連結部123を介して一体に連設されたカバー本体120とを備え、連結部123が破断可能に形成されている。【選択図】図１
2006306477.tif 000002
【特許請求の範囲】
【請求項１】
容器口部に取り付けられて当該容器内の内容物を注出する注出器と、この注出器の注出部分を覆う保護カバーとを備える保護カバー付き注出器であって、
前記保護カバーは、前記注出器の基部にヒンジを介して一体に繋がり、その閉じ動作により当該基部に係合固定される係合部と、この係合部に連結部を介して一体に連設されたカバー本体とを備え、前記連結部が破断可能に形成されていることを特徴とする保護カバー付き注出器。
【発明の詳細な説明】
【技術分野】
【０００１】
本発明は、容器口部に取り付けられた注出器がその流通段階において不正に開封されないための技術に関するものである。
【背景技術】
【０００２】
注出器には、例えば、容器口部に固定される栓体と、栓体に設けた注出口を開閉するヒンジ蓋とを備える、所謂、ヒンジキャップがある。ヒンジキャップは、ヒンジ蓋を開けると注出口が剥き出しになるため、流通段階において不正に開封されないように、その栓体とヒンジ蓋との間に当該ヒンジ蓋の閉蓋状態を明示する機構、所謂、バージン機構を設けたものがあり、かかる機構としては、例えば、リング部材を、下蓋となる栓体と、上蓋となるヒンジ蓋とに介在させて、互いを係合保持させたものがある（特許文献１参照。）。
【特許文献１】特開２００１−３１５８２０号公報
【発明の開示】
【発明が解決しようとする課題】
【０００３】
しかしながら、こうした従来の技術は、栓体にリング部材をセットしたのち、更にリング部材にヒンジ蓋をセットする必要があるため、組み付け作業も煩雑である。
【０００４】
本発明者は、上記バージン機構に加え、衛生面でも優れた注出器として、流通段階で注出部分及び注出を行うに際して操作する部分に触れることなく、不正に開封できない技術に着目するに至った。
【０００５】
上述したことからも明らかな如く、本発明の解決すべき課題は、容器口部に取り付けられる注出器の注出部分及び注出を行うに際して操作する部分が、流通段階で全く手に触れられない状態を保ちつつ、併せて当該注出器の不正開封を防止すると共に、その煩雑な組み付け作業を容易にすることである。
【課題を解決するための手段】
【０００６】
本発明である保護カバー付き注出器は、容器口部に取り付けられて当該容器内の内容物を注出する注出器と、この注出器の注出部分を覆う保護カバーとを備える保護カバー付き注出器であって、前記保護カバーは、前記注出器の基部にヒンジを介して一体に繋がり、その閉じ状態にて当該基部に係合固定される係合部と、この係合部に連結部を介して一体に連設されたカバー本体とを備え、前記連結部が破断可能に形成されていることを特徴とするものである。
【発明の効果】
【０００７】
本発明は、注出器の注出部分及び注出を行うに際して操作する部分を覆う保護カバーを注出器の基部に係合固定したことにより、その流通段階において、当該注出器の注出部分及び注出を行うに際して操作する部分が全く触れられることが無く、未開封状態を維持することができる。また、開封するにあたっては、連結部を破断させなければならないため、既に開封されたか否かを視覚或いは触覚で判断することができる。従って本発明によれば、注出器の注出部分及び注出を行うに際して操作する部分が流通段階で全く手に触れられない状態を保ちつつ、併せて保護カバーの不正開封を防止することができる。
【０００８】
更に、本発明は、保護カバーがヒンジを介して注出器の基部に一体に繋がり、その閉じ動作により係合部が当該基部に係合固定されるため、組み付け作業が容易である。
【発明を実施するための最良の形態】
【０００９】
以下、図面を参照して本発明を詳細に説明する。
【００１０】
図１,２はそれぞれ、本発明の一形態である保護カバー付き注出器100であって、その未開封状態及び開封状態を示す要部断面図である。なお、注出器100は、容器を傾けることにより内容物を注出するものであり、以下の説明において、便宜上、傾ける向きを前側とし、それに対向する向きを後側と定義する。
【００１１】
図２に示す如く、注出器100は、容器口部（図示省略。）に取り付けられる栓体110と、この栓体110に保持されるヒンジカバー130とを有する。
【００１２】
栓体110は、内筒部111と外筒部112とを同心二重配置して、その相互間を複数の接続部113により一体に設けてなる基部114と、この基部114に一体に繋がり、容器内に通じる注出口115を有する主部116とを有する。即ち、栓体110は、後述する保護カバーを連設する基部114と、注出口115を有する主部116とを一体成形してなる。なお、主部116は、その内側に一体に垂下する筒状部117を有し、この筒状部117の内側に設けたリブ118により容器口部に嵌合する。
【００１３】
ヒンジカバー130は、天板131の内側下面から一体に、閉じ状態において注出口115に嵌合するシール突起132が成形されると共に、このシール突起132の周りに天板131の内側下面から一体に垂下する環状壁133が設けられている。この環状壁133は、ヒンジカバー130の閉じ状態において主部116の上面116fに当接する。また、ヒンジカバー130は、天板131と一体に繋がるヒンジ134と、このヒンジ134を介して一体に繋がる脚部125を有する。ここで、栓体110は、基部114と主部116との間に嵌合穴119を形成しており、この嵌合穴119に脚部135を嵌合させることにより、ヒンジカバー130を栓体110に対して連結する。
【００１４】
即ち、本形態に係る注出器100は、容器内の内容物を注出する注出口115を有する栓体110と、この栓体110に連結されるヒンジカバー130とからなる、所謂、ヒンジキャップである。なお、本形態において、ヒンジカバー130は、栓体110と別体で構成しているが、一体に成形してもよい。栓体110とヒンジカバー130とを一体に成形する場合は、ヒンジカバー130のヒンジ134と、後述の保護カバー120を繋ぐヒンジとを同一方向に配置しないようにするとよい。
【００１５】
加えて、ヒンジキャップ100は、栓体110の後側に切り欠き部分Ｃが形成されており、この切り欠き部分Ｃに主部116を覆う不正開封防止用の保護カバーが一体に連設されている。このカバーは、切り欠き部分Cの幅領域内にてヒンジ121を介して一体に繋がる係合部122と、この係合部122及びカバー本体120とを有する。この係合部122は、環状のフランジ122aと、このフランジ122aの外周縁から放射状に一体に形成された係合突起122bとからなる。符号123は、カバー本体120と、係合部122のフランジ112aとの間に間欠的に配置され当該保護カバー120とフランジ122aとを一体に繋ぐ連結部であって、本形態においては、薄肉の連結片としてなる。即ち、保護カバーは、図１に示す如く、カバー本体120と、連結部123を介して一体に繋がる係合部122とを備え、この保護カバーと、ヒンジキャップ100の基部114とをヒンジ121を介して一体に成形してなる。
【００１６】
ここで、栓体基部114の肩部114sの上部には、係合溝Ｓ1が設けられている。この係合溝Ｓ1は、肩部114sに、外筒部側壁112aの上端から一体に繋がる係合段部112bを有する。これにより、保護カバーに設けた係合突起122bは、図１の矢印に示す如く、カバー本体120を介しての保護カバーの閉じ動作により、基部114の係合溝Ｓ1に嵌まり込んで、その係合段部112bにより係合固定される。これにより、保護カバーは、ヒンジ121の回動により栓体基部114に固定される。
【００１７】
即ち、ヒンジキャップ100は、カバー本体120を介して保護カバーを閉じると、係合部122の係合突起122bが、基部114に設けた係合段部112bに係合固定される。これにより、栓体110に保護カバーを強固に固定してなる保護カバー付きヒンジキャップ100が形成される。このため、使用者は、大きな力でカバー本体120を引っ張ったり、捻ったりしないと、連結部123を破断させてカバー本体120を取り外すことはできない。なお、図２には、カバー本体120を取り外した開封状態を示す。
【００１８】
上述したことから明らかな如く、本形態の保護カバー付きヒンジキャップ100は、ヒンジキャップ100の注出部分である注出口115及び注出を行うに際して操作する部分であるヒンジカバー130を覆う保護カバーの係合部122を栓体110の基部114に係合固定したことにより、その流通段階において、ヒンジキャップ100の注出口115及びヒンジカバー130が全く触れられることが無く、図１の一点鎖線に示す如く、未開封状態を維持することができる。また、開封するにあたっては、図２に示す如く、連結部123を破断させなければならないため、既に開封されたか否かを視覚或いは触覚で判断することができる。従って本形態によれば、ヒンジキャップ100の注出口115及びヒンジカバー130が流通段階で全く手に触れられない状態を保ちつつ、併せて当該保護カバー120の不正開封を防止することができる。
【００１９】
更に、保護カバーは、ヒンジ121を介して基部114に一体に繋がり、その閉じ動作により係合突起122bが当該基部114の係合溝Ｓ1内に係合固定されるため、図１の矢印に示す方向に、保護カバーを回動させるだけで組み付けを行うことができ、組み付け作業が容易になる。
【００２０】
なお、本形態において、カバー本体120の内周面と、栓体110の対応位置の外周面にはそれぞれ、互いに着脱可能に嵌合するリブを一体に形成して、カバー本体120が、開封状態になったのちも、このカバー本体120を必要に応じてオーバーキャップとして使用してもよい。  
【００２１】
本発明は、請求の範囲において種々の変更を加えることができる。例えば、連結部123は、破断できるものであれば、間欠的に配置することなく全周に亙って設けてもよい。また、連結部123を薄肉の切断帯を介して連設したバンド部として、このバンド部に設けた摘み部を、使用者が引くことによって、当該バンド部を除去する構成としてもよい。更に、本発明に係る注出器としては、ヒンジキャップに限られることなく、例えば、栓体の注出口に代えて、ノズルヘッドの押し込み及び復帰動作の繰り返しにより内容物を吸引・加圧・圧送するポンプと、このポンプを保持する筒状部を設けたポンプ付きキャップにも採用することができる。
【図面の簡単な説明】
【００２２】
【図１】本発明の第一の形態である保護カバー付き注出器であって、その未開封状態を示す要部断面図である。
【図２】同形態において、その開封状態を示す要部断面図である。
【符号の説明】
【００２３】
100    ヒンジキャップ
110    栓体
114    基部
116    主部
120    カバー本体
121    ヒンジ
122    係合部
122p   係合突起
123    連結部
Ｓ1    係合溝
【図１】
2006306477.tif 000003
【図２】
2006306477.tif 000004